(57)【要約】      （修正有）【課題】換気排煙設備ならびに換気排煙設備用の戻り圧力抑制装置を提供する。【解決手段】当該換気排煙設備２には、その内部に換気経路を設けている排気パイプ２１及び一つ以上の排気扇２３、一つ以上の戻り圧力抑制装置２２が含まれている。前記戻り圧力抑制装置２２は前記排気パイプ２１に且つ排気扇２３の先頭に設置されている上に、仕切り板が一枚設置されている。当該仕切り板には複数の開口２２３がある。前記換気扇２３が運転し空気を吸込むと前記戻り圧力抑制装置２２と排気扇２３の間が負圧ゾーンになり、上昇気流はこの仕組みで前記排気パイプ２１に順調に流れ込む。なお、前記排気パイプ２１に流れ込んだ気流は排気パイプ２１内の空気にぶつかり負圧気流が生じた場合、当該負圧気流は戻り圧力抑制装置２２でつくられた境目により止められてから、動力気流により後ろ向きに排出させられるため、排煙効率を高めることができる。【選択図】図１
2007263549.tif 000002
【特許請求の範囲】
【請求項１】
排気パイプ、換気扇及び戻り圧力抑制装置を含み、
該排気パイプは内部に換気経路があり、且つ一つの吸込口および一つの排気口を具え、  一つ以上の換気扇は排気パイプ内部に設置され、且つモーター駆動式であり、
一つ以上の戻り圧力抑制装置は前記排気パイプに設置され、且つ仕切り板がある戻り圧力抑制装置一つ、前記仕切り板には複数の開口があり、前記換気扇を起動すると、前記戻り圧力抑制装置と換気扇の間に負圧ゾーンが発生することを特徴とする換気排煙設備。
【請求項２】
複数のチューブを設置している仕切り板が設けられ、当該チューブは開口と結合する上に仕切り板の奥まで延伸することを特徴とする請求項１記載の換気排煙設備。
【請求項３】
戻り圧力抑制装置は前記排気パイプの吸込口のところに設置することを特徴とする請求項１又は請求項２記載の換気排煙設備。
【請求項４】
前記換気扇と排気パイプの吸込口の間に吸込部があり、前記負圧装置は当該吸込部に設置することを特徴とする請求項１又は請求項２記載の換気排煙設備。
【請求項５】
排煙設備及び戻り圧力抑制装置を含み、
該排煙設備はカバー構造を具え、その内部に換気扇および換気扇吸込口があり、且つ当該カバー構造の下部に開口があり、
該戻り圧力抑制装置は排煙設備のカバー構造の下側開口の中に設置され、並びに一つ以上の仕切り板を具え、当該仕切り板には複数の開口があり、排煙設備の換気扇が運転開始すると、前記戻り圧力抑制装置の吸込口とカバー構造の底部開口の間に負圧ゾーンが発生することを特徴とする換気排煙設備。
【請求項６】
前記戻り圧力抑制装置は開口と結合する複数のチューブを具えることを特徴とする請求項５記載の換気排煙設備。
【請求項７】
前記チューブは開口を通過して仕切り板の奥側に向かって延伸することを特徴とする請求項６記載の換気排煙設備。
【請求項８】
前記カバー構造とは、両サイド板および両サイド板の間に設置する底板が含まれ、前記仕切り板は前記底板の上および吸込口の下部に設置することを特徴とする請求項５記載の換気排煙設備。
【請求項９】
前記仕切り板はアーク状になっていることを特徴とする請求項５記載の換気排煙設備。
【請求項１０】
前記排気パイプは、当該排気パイプの中にろ過設備を設置し、且つそのろ過設備にはろ過材を複数具えることを特徴とする請求項５記載の換気排煙設備。
【請求項１１】
前記ろ過材は、中空構造のカバーであり、且つその中空構造カバーの周辺壁に複数の貫通孔を具えることを特徴とする請求項１０記載の換気排煙設備。
【請求項１２】
換気排煙設備の換気経路に設置され、仕切り板及び複数のチューブが含まれ、前記仕切り板にある複数の開口は気流の経路として用いられ、チューブは開口と結合することを特徴とする換気排煙設備用の戻り圧力抑制装置。
【請求項１３】
前記チューブは開口を通して仕切り板奥側に向かって延伸することを特徴とする請求項１２記載の換気排煙設備用の戻り圧力抑制装置。
【請求項１４】
前記仕切り板はアーク状になっていることを特徴とする請求項１２記載の換気排煙設備用の戻り圧力抑制装置。
【発明の詳細な説明】
【技術分野】
【０００１】
本発明は換気排煙設備ならびに換気排煙設備用の戻り圧力抑制装置を提案する。特に、気流の負圧をとめることが可能な換気排煙設備及び仕切り板装置を指している。
【背景技術】
【０００２】
局所の空間(例：キッチン)内の空気を浄化するため、換気排煙設備を設置して当該空間内の排気(例：料理時の煙)を室外に排出するのは一般的である。
【０００３】
一般的な換気排煙設備には、換気経路として使われている排気パイプおよび一つ以上のモーター駆動の扇風機が含まれている。前記排気パイプには吸込口および排気口が設けられており、扇風機を起動してから前記換気通路内には圧差現象が起き、吸込口側にある排気は排気口側に吸い込まれる上に室外に排出される。
【０００４】
従来の換気排煙設備の使用効率が好ましくない原因は戻り圧力の発生にある。言い換えれば、それは流通する気流が経路にあるエアーとぶつかり、もしくは経路にあるエアーと込み合いながら反発力が発生したからである。負圧値は上昇気流値より大きい場合、上昇気流は流動する間に四方八方に動き乱流になり、結局、上昇気流を順調に排出することが難しくなる。それゆえ、従来の換気排煙設備の排気性が好ましくなく、ガス中毒の事故はよく耳にする。
【０００５】
なお、従来の換気排煙設備はよく換気通路の排出部にろ過材または浄化設備を設け、料理時に発生した煙などの排気をろ過する。それにもかかわらず、ろ過材または浄化設備は扇風機が気流を吸込んだ後の真正面に設けられているため、正圧が発生して排気の排出が難しくなる。すなわち、ろ過材および浄化設備は換気経路内を微正圧の状態に転換させるため、上昇気流は換気経路の吸込口へ順調に流れていくことが難しくなり、最後に排気ができなくなり、煙が飛散する状態になる。
【発明の開示】
【発明が解決しようとする課題】
【０００６】
本発明の発明者は以上の欠点を配慮して、研究、分析、設計を丁寧に行う上に、実験をたくさん重ねてさまざま改善してから本発明を提出した。本発明の主要目的は換気排煙設備および換気排煙設備用の戻り圧力抑制装置を提案することであり、煙などの排気は吸込口および排煙経路に流れ込むことを確保する上に、密閉空間内の有毒気体、粉塵の排出を改善し、排気効果を高めることである。
【０００７】
本発明の換気、排煙設備には、以下の措置が含まれている。一つの排気パイプ、その内部には換気通路があり、当該換気チューブには空気の吸込口および排気口がある。一つ以上の換気扇は前記換気チューブの中に設置され、モーター駆動である。一つ以上の戻り圧力抑制装置は前記換気チューブに、且つ換気扇の先方に設置されている。また、前記の戻り圧力抑制装置には仕切り板が一枚設置されている。当該仕切り板には開口が複数あり、前記換気扇が運転しはじめてから排気開始すると、前記戻り圧力抑制装置と前記排気扇の間に負圧ゾーンになる。
【０００８】
本発明が提案する戻り圧力抑制装置は換気排煙設備の換気経路に設けられている。当該戻り圧力抑制装置は可能なかぎり仕切り板一枚および複数の排気パイプにより作られたほうが好ましい。前記仕切り板には開口が多数あり、気流の通路として使われる。その上に、各排気パイプは一つの開口により結ばれている。または、前記排気パイプは開口より仕切り板の奥側に向かって延びることもできる。
【課題を解決するための手段】
【０００９】
請求項１の発明は、排気パイプ、換気扇及び戻り圧力抑制装置を含み、
該排気パイプは内部に換気経路があり、且つ一つの吸込口および一つの排気口を具え、  一つ以上の換気扇は排気パイプ内部に設置され、且つモーター駆動式であり、
一つ以上の戻り圧力抑制装置は前記排気パイプに設置され、且つ仕切り板がある戻り圧力抑制装置一つ、前記仕切り板には複数の開口があり、前記換気扇を起動すると、前記戻り圧力抑制装置と換気扇の間に負圧ゾーンが発生することを特徴とする換気排煙設備としている。
請求項２の発明は、複数のチューブを設置している仕切り板が設けられ、当該チューブは開口と結合する上に仕切り板の奥まで延伸することを特徴とする請求項１記載の換気排煙設備としている。
請求項３の発明は、戻り圧力抑制装置は前記排気導管の吸込口のところに設置することを特徴とする請求項１又は請求項２記載の換気排煙設備としている。
請求項４の発明は、前記換気扇と排気パイプの吸込口の間に吸込部があり、前記負圧装置は当該吸込部に設置することを特徴とする請求項１又は請求項２記載の換気排煙設備としている。
請求項５の発明は、排煙設備及び戻り圧力抑制装置を含み、
該排煙設備はカバー構造を具え、その内部に換気扇および換気扇吸込口があり、且つ当該カバー構造の下部に開口があり、
該戻り圧力抑制装置は排煙設備のカバー構造の下側開口の中に設置され、並びに一つ以上の仕切り板を具え、当該仕切り板には複数の開口があり、排煙設備の換気扇が運転開始すると、前記戻り圧力抑制装置の吸込口とカバー構造の底部開口の間に負圧ゾーンが発生することを特徴とする換気排煙設備としている。
請求項６の発明は、前記戻り圧力抑制装置は開口と結合する複数のチューブを具えることを特徴とする請求項５記載の換気排煙設備としている。
請求項７の発明は、前記チューブは開口を通過して仕切り板の奥側に向かって延伸することを特徴とする請求項６記載の換気排煙設備としている。
請求項８の発明は、前記カバー構造とは、両サイド板および両サイド板の間に設置する底板が含まれ、前記仕切り板は前記底板の上および吸込口の下部に設置することを特徴とする請求項５記載の換気排煙設備としている。
請求項９の発明は、前記仕切り板はアーク状になっていることを特徴とする請求項５記載の換気排煙設備としている。
請求項１０の発明は、前記排気パイプは、当該排気パイプの中にろ過設備を設置し、且つそのろ過設備にはろ過材を複数具えることを特徴とする請求項５記載の換気排煙設備としている。
請求項１１の発明は、前記ろ過材は、中空構造のカバーであり、且つその中空構造カバーの周辺壁に複数の貫通孔を具えることを特徴とする請求項１０記載の換気排煙設備としている。
請求項１２の発明は、換気排煙設備の換気経路に設置され、仕切り板及び複数のチューブが含まれ、前記仕切り板にある複数の開口は気流の経路として用いられ、チューブは開口と結合することを特徴とする換気排煙設備用の戻り圧力抑制装置としている。
請求項１３の発明は、前記チューブは開口を通して仕切り板奥側に向かって延伸することを特徴とする請求項１２記載の換気排煙設備用の戻り圧力抑制装置としている。
請求項１４の発明は、前記仕切り板はアーク状になっていることを特徴とする請求項１２記載の換気排煙設備用の戻り圧力抑制装置としている。
【発明の効果】
【００１０】
本発明は換気排煙設備および換気排煙設備用の戻り圧力抑制装置を提案することであり、煙などの排気は吸込口および排煙経路に流れ込むことを確保する上に、密閉空間内の有毒気体、粉塵の排出を改善し、排気効果を高めることである。
【発明を実施するための最良の形態】
【００１１】
図１を参照して下さい。それは本発明による実施例の換気排煙設備２を示している。排気導管２１、一つ以上の換気扇２３および一つ以上の戻り圧力抑制装置２２が含まれている。前記排気導管２１の内部には換気経路が設けられ、室内空気を排出するために使われる。その上に、当該排気導管２１には空気の吸込口２１１および排気口２１２がある。前記換気扇２３は前記の排気導管２１の中に設けられている。本実施例には、当該換気扇２３は吸込口２１１の近傍に設置されており、且つ換気扇２３と吸込口２１１の間に吸込部２１３を決める上に、空気を排気導管２１に吸込まれるときに使用する。また、前記換気扇２３はモーターなど(図面に未表示)の駆動装置により駆動される。
【００１２】
前記戻り圧力抑制装置２２は前記排気導管２１の上にまたは前記換気扇２３の先方側に設置されておる。本実施例には、当該戻り圧力抑制装置２２は排気導管２１の吸込口２１１のところに設けられており、または、当該戻り圧力抑制装置２２を吸込部２１３に設置することも可能である。図２の示しているように、当該戻り圧力抑制装置２２には、複数の開口２２３を設けている仕切り板２２１および仕切り板上にある複数のチューブ２２２が含まれている。各チューブ２２２は一つの開口２２３により結ばれている。本実施例において、各チューブ２２２は仕切り板２２１の内側に一体的に構成されている。または、各チューブ２２２を差し込み式で前記仕切り板２２１の内側と結合することも可能である。
【００１３】
本発明提案の換気排煙設備２には、当該戻り圧力抑制装置２２は前記排気導管２１の吸込口２１１のところに境目をつくり、換気経路内の吸込部２１３と吸込口外側を二つの空間に区別する。換気扇２３が運転すると、前記戻り圧力抑制装置２２の上にある開口２２３またはチューブ２２２の開口はエアー栓のごとく、前記換気扇２３の吸込み力をより大きい動力気流に転換させる上に、前記戻り圧力抑制装置２２と換気扇２３の間の吸込部２１３に負圧ゾーン４がつくられる。この仕組みで、上昇気流２４は前記排気導管内に流れていくことができる。その上に、排気導管２１内に流れ込んだ上昇気流２４は曲がり部２１５のエアーと出会うと負圧気流が生じる場合、当該負圧気流は前記戻り圧力抑制装置２２でつくられた境目により止められている上に、巨大な動力気流により後ろに向いて排出される。換気排煙設備２の排煙効率を高めることができる。
【００１４】
図３を参照する。本発明の換気排煙設備２のもう一つの実施例を示している。当該実施例において、前記戻り圧力抑制措置２２の仕切り板２２１はアーク状になる。言い換えれば、本発明の仕切り板２２１は第一実施例の示しているフラット式または本実施例のアーク状に限定されていない。また、本実施例において、前記換気排煙設備２には二つの換気扇２３ならびに各換気扇２３の先頭に設置されている戻り圧力抑制装置２２が含まれている。その中の一つの換気扇２３および一つの戻り圧力抑制装置２２は吸込部２１３ (図１参照)に設けられており、もう一つの換気扇２３およびもう一つの戻り圧力抑制装置２２は排気口２１２近傍の排気部２１４に設置されている。この仕組みで、換気排煙設備２の排煙効果を一段高めることが可能である。
【００１５】
図４を参照する。本発明提案の戻り圧力抑制措置２２を一つの換気設備に装着した場合の実施例である。当該実施例において、前記戻り圧力抑制装置２２は排気部にろ過措置１の排煙設備３を設けている。なお、図５を同時に参照する。前記排煙設備３にはカバー構造を設けられている。従来の技術では、前記カバー構造はトップ板３１、バック板３２および両サイドのサイド板(符号なし)からなっていて、且つ下向きの開口式の構造になっている。なお、両サイド板の間に凹みタイプの底板３４が設けられているため、当該カバー構造の下部の開口にガイドスペース３５になっていて、料理時に発生した上昇気流(例：煙５)を集めることができる。
【００１６】
カバー構造の内部に集気部３６があり、当該集気部３６の内部にはモーター３８駆動の換気扇３７を一つ以上設置する。その上に、前記の集気部３６の下部および上部に吸込口３６１および排出口３６２をそれぞれに設置する。前記排出口３６２は排気パイプ３９とつながり煙を室外に排出する。換気扇３７が運転開始すると、調理時に発生した上昇気流(煙５と蒸気)は吸込口３６１を通して集気部３６に吸込まれ、排気パイプ３９経由で室外に排出される。本実施例において、前記底板３４には、集気部３６の中に伸び、且つ換気扇３７の下部に位置している凸部３４１がある。当該凸部３４１の頂点に吸込口３６１の開口を設置している。
【００１７】
排煙設備３の排気部(排気パイプ３９)にはろ過措置が設置されている。当該ろ過措置１には、筒状の排気パイプ１１ならびに当該排気パイプ１１の内部に充填されている複数の特別にデザインしたろ過材１２が含まれている。また、前記排気パイプ１１には集煙口１１１および排煙口１１２が設けられている。排気パイプ１１を排気パイプ３９の適切な位置に組立することができる。図６が示しているように、各ろ過材１２の中に一つ以上の中空構造カバー１２１ならびに前記カバーの中まで伸びる適切な長さを持つチューブ１２２が数多く含まれている。当該中空構造カバーの形状はボール状、立方体、多面体どちらでも可能である。本実施例において、前記中空構造カバー１２１はプラスティック製のボール状カバー構造であり、且つ当該中空構造カバーの周辺壁に複数の貫通孔１２３が設けられている。一方、前記チューブ１２２は奥穴１２４を具えている管であり、各チューブ１２２の片側にはフランジ１２５が設けられている。当該フランジ１２５の外壁サイズは貫通孔１２３の内径より大きいため、前記チューブ１２２は貫通孔１２３を通過して中空構造カバーの内部まで届き、しっかり結ばれることが可能である。一方、前記チューブ１２２は貫通孔１２３を通過してカバーの内部に向かって延びるトンネル(図面に未表示)でもある。
【００１８】
本実施例において、前記戻り圧力抑制装置２２は排煙設備３のカバー構造の下部(吸込部)の開口の中に設置されている。当該装置にはカバー構造の底板３４の上に設置されている仕切り板２２１が含まれている。それは吸込口３６１の下部スペースに負圧ゾーン４の作製に用いられているものである。言い換えれば、換気扇３７を起動してから、負圧ゾーン４は集気部３６より圧力が低くなるのである。一方、もう一つ交換式の実施例において、図７を参照する。前記仕切り板２２１はアーク状になっているため、開口の数量を増やして集煙効果を高めることが可能である。また、もう一つ交換式の実施例について、図８が示しているように、前記仕切り板２２１は両サイド板の間の底板３４の底部(すなわち、カバー構造の下部開口)に設置されているため、面積はより広くなる上に、吸込口３６１下部のガイドスペース３５は集気部３６と比べより圧力の低い負圧ゾーン４になる。
【００１９】
前記仕切り板２２１の上に複数の開口２２３があり、気流の通路として用いられている。本実施例において、複数のチューブ２２２は個別な開口２２３を通して仕切り板２２１の内部まで伸びる。また、本実施例において、前記チューブ２２２は開口２２３を通過して仕切り板２２１の側面に向かってある距離を延長している。交換式な実施例において、各チューブ２２２は図６のチューブ１２２のように、奥孔を具えている排気パイプであり、且つ仕切り板２２１の中に差し込んでいる。
【００２０】
図４を参照する。前記排煙設備３の排煙状況を示している。モーター３８が換気扇３７を駆動してから、料理で発生した煙５または気体(上昇気流)はカバー構造の下部ガイドスペース３５に集められる。その後、吸込口３６１経由で集気部３６に吸込まれてから、排気パイプ３９を通過して室外に排出される。前記のごとく、煙５が排気パイプ３９に流れ込んでから、ろ過措置１の中に吸込まれ、ろ過材１２により浄化される。すなわち、中空構造カバー１２１自体の広い奥壁の表面積およびチューブ１２２の外壁は煙の中に含まれている油、煙粒子を集中してろ過してから、排気パイプの排出口３９１より地下の排水溝６に排出する。排出された煙を浄化する効果がある。
【００２１】
その上に、本発明の戻り圧力抑制装置２２により前記排煙設備(換気排煙設備)の吸込口３６１の下部に負圧ゾーン４が形成されている。それがゆえに、料理時に発生した上昇気流は集気部３６および排気パイプ３９の方向に向かって流れていく。すなわち、カバー構造の下部ガイドスペース３５内の煙または上昇気流は負圧ゾーン４の方向に向かって移動して、ガイドスペースにとどまり、渦または逆戻りは発生しないことを指している。この仕組みで、煙５は順調に吸込口３６１を通して集気部３６に吸込まれ、排気パイプ３９に流れ込んでからろ過措置１によりろ過浄化されてから、室外に排出される。
【００２２】
前記の説明内容は本発明の好ましい実施例に対する説明内容である。本発明の設計趣旨はさまざまな調整、または実施例を変更することができる。例を挙げれば、本発明の仕切り板２２１は各種の換気排煙設備に応じて調整して、換気排煙設備の適切なところに設置されることが可能である。それがゆえに、本技術に詳しく知っている方が行った取替えや修正について、すべて本発明の請求範囲に含まれるものとする。
【図面の簡単な説明】
【００２３】
【図１】本発明の第一実施例により構成した換気排煙設備の構造図である。
【図２】図１の戻り圧力抑制装置の立体図である。
【図３】本発明第二実施例により構成した換気排煙設備の構造図である。
【図４】本発明の第一実施例により構成した戻り圧力抑制装置を排煙設備に配置する場合の図面。排煙設備の状態を拡大表示である。
【図５】図４の局所拡大表示図である。
【図６】図４のろ過措置のろ過材の実施例の断面図である。
【図７】図５の仕切り板がアーク状になるときの図面である。
【図８】本発明の第二実施例により構成した戻り圧力抑制装置を排煙設備に配置する場合の図面である。
【符号の説明】
【００２４】
１  ろ過措置
１１  排気パイプ
１１１  集煙口
１１２  排煙口
１２  ろ過材
１２１  中空構造カバー
１２２  チューブ
１２３  貫通孔
１２４  奥穴
１２５  フランジ
２  換気排煙設備
２１  排気導管
２１１  吸込口
２１２  排気口
２１３  吸込部
２１４  排気部
２１５  曲がり部
２２  戻り圧力抑制装置
２２１  仕切り板
２２２  チューブ
２２３  開口
３  排煙設備
２３  換気扇
３１  トップ板
３２  バック板
３４  底板
３５  ガイドスペース
３７  換気扇
３９  排気パイプ
３４１  凸部
３６  集気部
３６１  吸込口
３６２  排出口
３８  モーター
３９１  排出口
５  煙
４  負圧ゾーン
６  排水溝
【図１】
2007263549.tif 000003
【図２】
2007263549.tif 000004
【図３】
2007263549.tif 000005
【図４】
2007263549.tif 000006
【図５】
2007263549.tif 000007
【図６】
2007263549.tif 000008
【図７】
2007263549.tif 000009
【図８】
2007263549.tif 000010